(57)【要約】【課題】意匠性と操作性とを両立できるリモコンを提供することを目的とする。【解決手段】トイレ装置を操作するためのスイッチが設けられた第１面と、前記トイレ装置を操作するためのスイッチが設けられた第２面と、を有するリモコン本体と、前記リモコン本体の少なくとも一部を移動させて、前記リモコン本体の状態を、前記第１面が露出し前記第２面が隠蔽された第１状態と、前記第２面が露出した第２状態と、の間で遷移させる駆動装置と、を備え、前記第１状態における前記リモコン本体の上下方向の幅は、前記第２状態における前記リモコン本体の上下方向の幅よりも狭いことを特徴とするリモコンが提供される。【選択図】図１
2018071060.tif 000002
【特許請求の範囲】
【請求項１】
トイレ装置を操作するためのスイッチが設けられた第１面と、前記トイレ装置を操作するためのスイッチが設けられた第２面と、を有するリモコン本体と、
前記リモコン本体の少なくとも一部を移動させて、前記リモコン本体の状態を、前記第１面が露出し前記第２面が隠蔽された第１状態と、前記第２面が露出した第２状態と、の間で遷移させる駆動装置と、
を備え、
前記第１状態における前記リモコン本体の上下方向の幅は、前記第２状態における前記リモコン本体の上下方向の幅よりも狭いことを特徴とするリモコン。
【請求項２】
前記トイレ装置は、便器と、水を吐出して使用者の局部を洗浄する機能部と、を有し、
前記第１面には、前記便器に洗浄水を流すスイッチが設けられ、
前記第２面には、前記機能部を操作するためのスイッチが設けられたことを特徴とする請求項１記載のリモコン。
【請求項３】
前記リモコン本体を着脱可能に保持する保持部材をさらに備えたことを特徴とする請求項１または２に記載のリモコン。
【請求項４】
前記リモコン本体は、照明及び前記トイレ装置の状態を表示する表示部の少なくともいずれかを有することを特徴とする請求項１〜３のいずれか１つに記載のリモコン。
【請求項５】
前記駆動装置は、前記リモコン本体を回転させながら並進させることにより、前記第１状態と前記第２状態とを切り替えることを特徴とする請求項１〜４のいずれか１つに記載のリモコン。
【発明の詳細な説明】
【技術分野】
【０００１】
本発明の態様は、一般的に、リモコンに関する。
【背景技術】
【０００２】
例えば、トイレ室では、トイレ装置を操作するためのリモコンが設けられる。特許文献１には、棚と、棚の下面に設けられたリモコンホルダと、リモコンホルダに取り付けられるリモコンと、を有する棚付きリモコンが開示されている。
【先行技術文献】
【特許文献】
【０００３】
【特許文献１】特許第４４２０５１１号公報
【発明の概要】
【発明が解決しようとする課題】
【０００４】
トイレ室に設けられるリモコンには、トイレ空間と一体感があることが求められる。特に、トイレ室の棚に取り付けられるリモコンには、リモコンの存在感が過剰で無いことが求められる。例えば、リモコンを薄くしたり、リモコンの幅を狭くしたりすることにより、リモコンとトイレ空間との一体感を高め、意匠性を向上させることができる。
【０００５】
一方、リモコンを薄くしたり、リモコンの幅を狭くしたりすると、スイッチ（ボタン）等が設けられるリモコンの操作面が小さくなり、操作性が低下することがある。例えば、スイッチ同士の間隔が狭くなり、使用者がリモコンを操作しにくくなる。また、例えば、スイッチの数が制限されて、使用者が必要な操作を行えない場合がある。
【０００６】
本発明は、かかる課題の認識に基づいてなされたものであり、意匠性と操作性とを両立できるリモコンを提供することを目的とする。
【課題を解決するための手段】
【０００７】
第１の発明は、トイレ装置を操作するためのスイッチが設けられた第１面と、前記トイレ装置を操作するためのスイッチが設けられた第２面と、を有するリモコン本体と、前記リモコン本体の少なくとも一部を移動させて、前記リモコン本体の状態を、前記第１面が露出し前記第２面が隠蔽された第１状態と、前記第２面が露出した第２状態と、の間で遷移させる駆動装置と、を備え、前記第１状態における前記リモコン本体の上下方向の幅は、前記第２状態における前記リモコン本体の上下方向の幅よりも狭いことを特徴とするリモコンである。
【０００８】
このリモコンによれば、第１状態においては、リモコン本体の上下方向の幅が狭いため、リモコンとトイレ空間との一体感を演出できる。一方、第２状態においては、リモコン本体の上下方向の幅が広く、広い操作面を確保することができる。したがって、意匠性と操作性と両立させることができる。
【０００９】
第２の発明は、第１の発明において、前記トイレ装置は、便器と、水を吐出して使用者の局部を洗浄する機能部と、を有し、前記第１面には、前記便器に洗浄水を流すスイッチが設けられ、前記第２面には、前記機能部を操作するためのスイッチが設けられたことを特徴とするリモコンである。
【００１０】
このリモコンによれば、使用頻度の高いスイッチが第１面に設けられており、使用頻度の比較的低いスイッチが第２面に配置されている。これにより、操作性を確保することができる。
【００１１】
第３の発明は、第１または第２の発明において、前記リモコン本体を着脱可能に保持する保持部材をさらに備えたことを特徴とするリモコンである。
【００１２】
このリモコンによれば、使用者は必要に応じてリモコン本体を手に取って、トイレ装置を操作することができる。これにより、さらに操作性を向上させることができる。
【００１３】
第４の発明は、第１〜第３のいずれか１つの発明において、前記リモコン本体は、照明及び前記トイレ装置の状態を表示する表示部の少なくともいずれかを有することを特徴とするリモコンである。
【００１４】
このリモコンによれば、照明や表示部により、使用者は、リモコンのスイッチやトイレ装置の状態を認識しやすく、スムーズに操作を行うことができる。
【００１５】
第５の発明は、第１〜第４のいずれか１つの発明において、前記駆動装置は、前記リモコン本体を回転させながら並進させることにより、前記第１状態と前記第２状態とを切り替えることを特徴とするリモコンである。
【００１６】
このリモコンによれば、第１状態におけるリモコン本体の配置、および、第２状態におけるリモコン本体の配置の自由度が高く、リモコン本体を使いやすい位置に配置することができる。
【発明の効果】
【００１７】
本発明の態様によれば、意匠性と操作性とを両立できるリモコンが提供される。
【図面の簡単な説明】
【００１８】
【図１】実施形態に係るリモコンが設けられたトイレ室を例示する斜視図である。
【図２】実施形態に係るリモコンを有するトイレシステムを例示するブロック図である。
【図３】図３（ａ）及び図３（ｂ）は、実施形態に係るリモコンの斜視図である。
【図４】実施形態に係るリモコンの一部を例示する平面図である。
【図５】図５（ａ）、図５（ｂ）は、実施形態に係るリモコンの動作を例示する平面図である。
【図６】図６（ａ）及び図６（ｂ）は、実施形態に係るリモコンの動作を例示する平面図である。
【図７】実施形態に係るリモコンの一部を例示する斜視図である。
【図８】実施形態に係るリモコンの一部を例示する斜視図である。
【図９】図９（ａ）及び図９（ｂ）は、実施形態に係るリモコンの変形例を例示する平面図である。
【図１０】図１０（ａ）及び図１０（ｂ）は、実施形態に係るリモコンの変形例を例示する平面図である。
【図１１】図１１（ａ）及び図１１（ｂ）は、実施形態に係るリモコンの変形例を例示する平面図である。
【図１２】図１２（ａ）及び図１２（ｂ）は、実施形態に係るリモコンの変形例を例示する平面図である。
【図１３】図１３（ａ）及び図１３（ｂ）は、実施形態に係るリモコンの変形例を例示する平面図である。
【図１４】図１４（ａ）及び図１４（ｂ）は、実施形態に係るリモコンの変形例を例示する平面図である。
【図１５】図１５（ａ）〜図１５（ｅ）は、実施形態に係るリモコンの変形例を例示する平面図である。
【図１６】図１６（ａ）及び図１６（ｂ）は、実施形態に係るリモコンの変形例を例示する平面図である。
【図１７】図１７（ａ）及び図１７（ｂ）は、実施形態に係るリモコンの変形例を例示する平面図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、実施形態に係るリモコンが設けられたトイレ室を例示する斜視図である。  
図２は、実施形態に係るリモコンを有するトイレシステムを例示するブロック図である。
【００２０】
図１に表したように、トイレ室ＴＲには、リモコン５０と、トイレ装置１０とが設けられている。トイレ室ＴＲ内には、鏡２０、キャビネット３０、手洗い器４０などが設けられていてもよい。
【００２１】
トイレ装置１０は、トイレ室ＴＲの床面ＦＳ上に設置されている。あるいは、トイレ装置１０は、トイレ室ＴＲの壁面などに支柱によって支持されていてもよい。
【００２２】
トイレ装置１０は、便器１１と、便座１２と、便蓋１３と、本体部１４（衛生洗浄装置）と、を有する。便座１２は、便器１１の上に設けられている。便蓋１３は、便器１１の上に、便座１２を覆うように設けられている。本体部１４は、便器１１の後方上部に設けられている。便座１２および便蓋１３は、本体部１４によって回動可能に軸支されている。
【００２３】
図２に表したように、本体部１４は、制御部１５と、人体検知手段１６と、接近検知手段１７と、着座検知手段１８と、機能部１９と、を有する。本体部１４は、便器１１の後方に設けられた照明６１をさらに有していてもよい。
【００２４】
制御部１５は、マイコンなどの集積回路や、電波送受信モジュールなどの通信手段を有する。制御部１５は、人体検知手段１６の検知結果、接近検知手段１７の検知結果、及び、着座検知手段１８の検知結果を受信する。そして、制御部１５は、これらの検知結果から、使用者の入室の有無、使用者の便器１１への接近、便座１２への着座及び離座を判定する。また、制御部１５は、リモコン５０から、トイレ室ＴＲ内に設けられた機器への動作の指示に関する指示信号を受信する。制御部１５は、この指示信号及び前述の判定の結果の少なくともいずれかに基づいてトイレ室ＴＲ内に設けられた種々の構成要素の動作を制御する。例えば、制御部１５は、機能部１９及び照明６１の動作を制御する。また、例えば、制御部１５は、リモコン５０の動作（開閉や点灯など）を制御するための信号を、送信する。
【００２５】
機能部１９は、洗浄機能部１９ａや便座ヒータ機能部１９ｂなどを有する。洗浄機能部１９ａは、ノズルやノズルを駆動するモータなどを有し、制御部１５からの信号に基づいて、ノズルから洗浄水を噴射する。これにより、洗浄機能部１９ａは、着座した使用者の局部（例えば「おしり」など）を洗浄水で洗浄する。また、便座ヒータ機能部１９ｂは、制御部１５からの信号に基づいて、便座１２の内部に設けられた誘導加熱コイルに高周波電流を流す。これにより、便座１２を温めることができる。機能部１９は、トイレ室ＴＲ内を脱臭する脱臭機能や温風乾燥機能などをさらに有していてもよい。
【００２６】
図１に示すように、キャビネット３０は、内部に空間を有し、この内部空間に備品を収納可能に構成されている。キャビネット３０は、トイレ室ＴＲの側壁ＳＷ１に取り付けられている。キャビネット３０は、その上部に棚板（天板）３１を有し、カウンターとして機能する。棚板３１の上に手洗い器４０（ボウル４１及び水栓４２）が設けられている。
【００２７】
リモコン５０は、棚板３１の下方に設けられる。例えば、リモコン５０は、キャビネット３０に埋め込まれている。なお、リモコン５０は、必ずしもキャビネット３０に取り付けられなくてもよく、例えば、パネルなどを用いて壁面に間接的に取り付けられてもよいし、壁面に直接取り付けられてもよい。
【００２８】
リモコン５０の下方には、空間が形成されている。この空間の内部には紙巻器（ペーパーホルダ）が設けられ、この紙巻器によってトイレットペーパーが保持される。
【００２９】
図２に示すように、リモコン５０は、リモコン本体５２と、駆動装置５３と、を有する。リモコン本体５２は、第１面（第１の操作面）５２１と、第２面（第２の操作面）５２２と、を有する。
【００３０】
使用者は、第１面５２１や第２面５２２に設けられたスイッチを操作して、トイレ室ＴＲ内の各機器への動作の指示を入力できる。リモコン５０は、電波送受信モジュールなどの通信手段を有し、入力された指示に関する信号を、各機器へ送信する。例えば、リモコン５０（リモコン本体５２）は、制御部１５へ電波信号を送信し、制御部１５は、受信した信号に基づいて、トイレ装置１０の各機能を制御する。
【００３１】
また、リモコン５０は、制御部１５から送信された信号を受信し、受信した信号に基づいて、リモコン本体５２の移動（開閉）やスイッチの点灯（及び点滅）などの動作を行う。
【００３２】
リモコン５０と制御部１５との間の電波通信に用いられる電波の周波数帯は、例えば、０．３ＧＨｚ〜３ＧＨｚ程度である。但し、実施形態において、リモコン５０と制御部１５との通信は、電波通信には限られず、赤外線通信を用いることもできる。リモコン本体５２が移動する場合には、赤外線よりも指向性の低い電波を用いることが好ましい。
【００３３】
図３（ａ）及び図３（ｂ）は、実施形態に係るリモコンの斜視図である。  
【００３４】
図３（ａ）は、リモコン本体５２の第１状態（閉じた状態）を表し、図３（ｂ）は、リモコン本体５２の第２状態（開いた状態）を表す。この例では、リモコン本体５２は、直方体状（スティック状）である。
【００３５】
以下では、実施形態の説明のために、トイレ室ＴＲの内部から側壁ＳＷ１（図１参照）へ向かう方向を「後方」とする。「後方」は、例えば側壁ＳＷ１の壁面に対して垂直な方向である。「後方」と反対の方向を「前方」とする。
【００３６】
第１状態は、第１面５２１が露出しており、第２面５２２が隠蔽された状態である。図３（ａ）に示すように、第１状態において、第１面５２１は前方を向いており、第２面５２２は下方を向いている。すなわち、第１状態において、使用者は、第１面５２１を視認可能であるが、第２面５２２は見えない又は見え難い。
【００３７】
駆動装置５３（図４参照）は、リモコン本体５２の少なくとも一部を移動（例えば回動）させて、リモコン本体５２の状態を、第１状態と第２状態との間で遷移させる。なお、本願明細書において、移動とは、回転及び並進の少なくともいずれかをいう。
【００３８】
第２状態は、第２面５２２が露出した状態である。第２状態においては、第１面５２１が露出していてもよい。図３（ｂ）に示すように、第２状態において、第１面５２１は上方を向いており、第２面５２２は前方を向いている。すなわち、第２状態において、使用者は、第２面５２２（及び第１面５２１）を視認可能である。
【００３９】
第１面５２１には、便器１１に「大洗浄」の洗浄水を流す「大」スイッチ５２１Ａ、便器１１に「小洗浄」の洗浄水を流す「小」スイッチ５２１Ｂ、便座１２（図１参照）を電動で開く「便座」スイッチ５２１Ｃ、リモコン本体５２の開閉を行う「開閉」スイッチ５２１Ｄなどが設けられる。これらのスイッチ類は、スイッチ類の中で最も使用頻度が高く、またいずれも便座１２に座らずに立った状態において使用する可能性が高いものである。本実施形態においては、このように使用頻度が最も高く、また立った状態で使用される可能性が高いスイッチ類を、第１のグループとして、第１面５２１に配置している。
【００４０】
第２面５２２には、機能部１９を操作するためのスイッチが設けられる。すなわち、機能部１９の吐水を停止する「止」スイッチ５２２Ａ、機能部１９に「おしり」に向けて吐水させる「おしり」スイッチ５２２Ｂ、吐水の位置を変更する「洗浄位置」スイッチ５２２Ｃ、吐水の勢いを変更する「水勢」スイッチ５２２Ｄなどが設けられる。これらのスイッチ類は、便座１２に座った状態の使用者が操作する可能性が高いものである。このように、リモコン５０が有するスイッチ類のうちで、２番目に使用頻度が高いスイッチ類を第２のグループとして第２面５２２に配置している。なお、第２面５２２にも、使用頻度の高い第１のグループのスイッチ類を設けてもよい。
【００４１】
また、第２面５２２には、トイレ装置１０の状態などを、光によって表示する表示部５２２Ｅが設けられている。表示部５２２Ｅには、液晶ディスプレイや有機ＥＬディスプレイなどを用いることができる。表示部５２２Ｅは、タッチパネル（タッチスクリーン）であってもよく、表示部５２２Ｅを用いて使用者がトイレ装置１０を操作できるようにしてもよい。
【００４２】
リモコン本体５２の第１面５２１及び第２面５２２には、ＬＥＤ（light emitting diode）などの照明を設けてもよい。例えば、スイッチ類の周囲に点灯又は点滅する照明５２Ｌが設けられる。照明をリモコン本体５２の内部に設け、スイッチ類を内側から照らすことにより、スイッチ類を光らせてもよい。このような照明を設けることで、使用者がスイッチ類を認識しやすくなり、使い勝手が向上する。また、光により演出性を高めることができる。
【００４３】
図３（ａ）に示した第１状態では、第１面５２１に設けられたスイッチ類のみが操作可能であり、図３（ｂ）に示した第２状態では、少なくとも第２面５２２に設けられたスイッチ類が操作可能である。便座１２に座った使用者は、第２面５２２に設けられたスイッチや表示部を楽な姿勢で容易に操作し、確認することができる。
【００４４】
図４は、実施形態に係るリモコンの一部を例示する平面図である。  
図４は、図３（ｂ）に示した第２状態における、リモコン５０及びその周辺の一部を側方から眺めた様子に対応する。  
既に述べた通り、棚板３１の下方にリモコン５０が設けられ、リモコン５０の下方に紙巻器５００及びトイレットペーパー５９０が設けられている。
【００４５】
リモコン５０は、リモコン本体５２を保持する保持部材５４を有する。駆動装置５３は、モータ５３１や駆動部材５３２を有する。モータ５３１の回転は、ギヤ、カム、ベルト、プーリーなどの任意の伝達手段によって、駆動部材５３２に伝達される。駆動部材５３２は、保持部材５４と連結されており、駆動部材５３２が長孔５３２ｅの方向に沿って移動することにより、保持部材５４を図４に示す矢印Ａ１のように移動させることができる。これにより、駆動装置５３は、リモコン本体５２を移動させて、上述の第１状態と第２状態とを切り替えることができる。
【００４６】
図５（ａ）、図５（ｂ）、図６（ａ）及び図６（ｂ）は、実施形態に係るリモコンの動作を例示する平面図である。  
これらの図は、リモコン５０の一部を左側方から眺めた様子を示す。図５（ａ）は、リモコン本体５２の第１状態を示す。図５（ｂ）及び図６（ａ）は、リモコン本体５２が第１状態と第２状態との間を遷移する途中の状態を示す。図６（ｂ）は、リモコン本体５２の第２状態を示す。なお、左右対称であるため、右側方から眺めた様子は図示を省略する。
【００４７】
リモコン５０は、保持部材５４の側方に設けられたガイド部材５５を有する。ガイド部材５５は、長孔５５ａ及び長孔５５ｂを有する。長孔５５ａは、長孔５５ｂに比べて短く、前後方向（水平方向）に延びる。長孔５５ｂは、長孔５５ａの後方又は下方に位置し、下に凸の湾曲した形状を有する。
【００４８】
また、リモコン５０は、保持部材５４に対して固定されたピン５４ａ及びピン５４ｂを有する。ピン５４ａは長孔５５ａに挿通されており、ピン５４ｂは長孔５５ｂに挿通されている。
【００４９】
図５（ａ）に示した、第１状態において、ピン５４ａは長孔５５ａの後端に位置し、ピン５４ｂは長孔５５ｂの上端に位置する。そして、図４に関して説明した駆動装置５３によって駆動力が保持部材５４に伝達されると、リモコン５０は、例えば、図５（ａ）の状態から図５（ｂ）の状態へと遷移する。このとき、ピン５４ａ、５４ｂは、それぞれ、長孔５５ａ、５５ｂ内をスライドする。このように、保持部材５４に固定されたピンが長孔に沿ってスライドすることにより、保持部材５４及びリモコン本体５２がガイドされる。
【００５０】
図５（ａ）及び図５（ｂ）に示したように、ピン５４ａは、後方から前方へ向けてスライドする。これと同時に、ピン５４ｂは、斜め下（前方かつ下方）へスライドする。従って、リモコン本体５２の移動は、下方から上方への回転運動と、後方から前方へ並進運動と、を含む。
【００５１】
その後、長孔内のピンの移動に対応して、リモコン本体５２は、図６（ａ）に示した状態を経て、図６（ｂ）に示した第２状態へ至る。リモコン本体５２が第２状態から第１状態へ遷移する場合は、上記と逆の移動が行われる。
【００５２】
第１状態におけるリモコン本体５２の上下方向の幅Ｗ１（図５（ａ））は、第２状態のリモコン本体５２の上下方向の幅Ｗ２（図６（ｂ））よりも狭い。例えば、第１状態は、正面にリモコン本体５２の最も薄い操作面が現れた状態である。このように、第１状態においては、使用者が視認するリモコン本体５２の幅が狭いため、リモコンとトイレ空間との一体感を演出することができる。一方、第２状態では、正面から見たときのリモコン本体５２の幅が広いため、広い操作面を確保することができる。したがって、実施形態によれば、意匠性と操作性とを両立させることができる。
【００５３】
さらに、この例では、第１状態において、第１面５２１は、棚板３１の前面３１ｆと同一平面上に位置する。これにより、リモコンとトイレ空間との一体感をさらに演出することができる。
【００５４】
また、上述した通り、駆動装置５３は、リモコン本体５２を回転させながら並進させる。これにより、第１及び２状態におけるリモコン本体５２の配置の自由度を高めることができる。例えば、両方の状態において、棚板３１とリモコン本体５２との間の隙間が大きくなることを抑えて意匠性を確保しつつ、リモコン本体５２を使いやすい高さに配置することがきる。
【００５５】
次に、リモコン５０の動作のタイミングについて説明する。  
リモコン５０は、例えば、図２に示した、人体検知手段１６、接近検知手段１７及び着座検知手段１８の検知結果に基づいて動作することができる。
【００５６】
人体検知手段１６には、例えば、焦電センサ、マイクロ波センサ、超音波センサ、または測距センサ（赤外線投光式センサ）を用いることができる。この例では、人体検知手段１６には、焦電センサが用いられている。人体検知手段１６は、図２の符号Ａで表したように、便器１１の前方の広い範囲を検知する。人体検知手段１６は、例えば、使用者がトイレ室ＴＲのドアＴＤを空けて入室したことを直ちに検知可能である。これにより、例えば、人体検知手段１６は、トイレ室ＴＲ内への使用者の入室の有無を検知することができる。
【００５７】
接近検知手段１７には、例えば、マイクロ波センサ、超音波センサまたは測距センサを用いることができる。この例では、接近検知手段には、測距センサが用いられている。接近検知手段１７は、図２の符号Ｂで表したように、例えば便器１１の前に立った使用者を検知することができる。すなわち、接近検知手段１７は、使用者がトイレ室ＴＲへ入室した後に便器１１へ接近したことを検知することができる。例えば、接近検知手段１７は、使用者が便器１１の端から０．１メートル以内の領域に入ったことを検知することができる。
【００５８】
着座検知手段１８は、図２の符号Ｃで表したように、使用者の便座１２への着座の有無を検知することができる。すなわち、着座検知手段１８は、使用者の着座及び離座を検知する。着座検知手段１８には、マイクロ波センサ、測距センサ、超音波センサ、タクトスイッチ、静電容量スイッチ（タッチセンサ）、または歪みセンサを用いることができる。この例では、着座検知手段１８には、測距センサが用いられている。
【００５９】
なお、タクトスイッチ、静電センサ及び歪みセンサなどの接触式センサを用いる場合には、これらの接触式センサは、便座１２に設けられる。便座１２に使用者が座ると、使用者の体重によってタクトスイッチが押下される。または、使用者が静電センサに接触する。または、使用者の体重によって歪みセンサに圧力が加えられる。これらを検知する接触式センサからの電気信号を検出することで、使用者の着座を検知することができる。
【００６０】
まず、トイレ室ＴＲに使用者がいない待機状態においては、リモコン本体５２は、例えば第１状態である。使用者がトイレ室ＴＲに入室すると、人体検知手段１６が使用者の入室を検知する。リモコン５０は、この検知結果を含む信号を受信することで、リモコン本体５２に設けられた照明を適宜、点灯させたり点滅させたりすることができる。
【００６１】
その後、使用者が便器１１に近づくと、接近検知手段１７が使用者の接近を検知する。リモコン５０は、この検知結果を含む信号を受信することで、リモコン本体５２に設けられた照明を適宜、点灯させたり点滅させたりしてもよい。このとき、リモコン本体５２は、例えば第１状態のままであり、使用者は第１面５２１に設けられたスイッチによってトイレ装置１０を操作することができる。
【００６２】
その後、使用者が便座１２に座ると、着座検知手段１８が使用者の着座を検知する。リモコン５０は、この検知結果を含む信号を受信すると、駆動装置５３によりリモコン本体５２を移動させる。これにより、リモコン本体５２は、第１状態から第２状態へ遷移する。着座した使用者は、第２面５２２（及び第１面５２１）に設けられたスイッチによってトイレ装置１０を操作することができる。
【００６３】
その後、使用者が退室すると、人体検知手段１６、接近検知手段１７及び着座検知手段１８のいずれも使用者を検知しなくなる。すると、リモコン５０は、照明の点灯を停止する。このとき、リモコン本体５２が第２状態であった場合は、駆動装置５３は、リモコン本体５２を第１状態へ遷移させる。
【００６４】
なお、第１状態から第２状態への遷移は、接近検知手段１７の検知結果に基づいて、使用者が接近したときに行われてもよい。また、使用者は、照明が自動でオンオフすることや、リモコン５０が自動で開閉することを設定により停止できる。この場合には、リモコン本体５２に設けられたスイッチの操作により、リモコン５０の開閉（第１状態と第２状態との間の遷移）が行われる。
【００６５】
図７及び図８は、実施形態に係るリモコンの一部を例示する斜視図である。  
保持部材５４は、リモコン本体５２を着脱可能に保持する。図７には、リモコン本体５２を保持部材５４から取り外した様子を示す。図８は、図７に示す矢印Ａ２の方向に沿って見た、リモコン本体５２の背面（第３面５２３）を示す。なお、第１面５２１及び第２面５２２に設けられたスイッチ類の図示は省略している。
【００６６】
図７に示すように、保持部材５４には、位置規制部５４ｅと、充電端子部７１と、が設けられている。図８に示すように、リモコン本体５２には、保持部材５４の位置規制部５４ｅに対応する係合部６５が設けられている。また、リモコン本体５２には、保持部材５４の充電端子部７１に対応する端子部７３が設けられている。
【００６７】
リモコン本体５２の係合部６５と、保持部材５４の位置規制部５４ｅと、が係合するように、保持部材５４の上方からリモコン本体５２を載せることで、リモコン本体５２を保持部材５４に取り付けることができる。また、リモコン本体５２が保持部材５４に取り付けられた状態においては、保持部材５４の充電端子部７１と、リモコン本体の端子部７３と、が接触する。これにより、リモコン本体５２が充電される。
【００６８】
保持部材５４の位置規制部５４ｅは、充電端子部７１と端子部７３とが近接（接触）するように、リモコン本体５２の位置を規制する位置規制手段として機能する。また、保持部材５４の位置規制部５４ｅは、リモコン本体５２を取り付ける際に、充電端子部７１と端子部７３とが近接する位置へリモコン本体５２を導くガイド手段として機能する。
【００６９】
このようにリモコン本体５２を充電式とすることにより、使用者は必要に応じてリモコン本体５２を手に取って、トイレ装置１０を操作することができる。これにより、さらに操作性を向上させることができる。
【００７０】
また、図８に示すように、リモコン本体５２の第３面５２３に、スイッチ５２３Ａを含むスイッチ類を設けてもよい。このスイッチは、例えば、オート機能の設定のスイッチや、温水、便座、温風などの温度の設定や、時刻の設定や、節電モードの設定などのスイッチである。このように、前述した第１のグループや第２のグループのスイッチ類よりも使用頻度が低いスイッチ類を第３のグループとして、第３面５２３に配置してもよい。
【００７１】
図９（ａ）及び図９（ｂ）は、実施形態に係るリモコンの変形例を例示する平面図である。  
図９（ａ）及び図９（ｂ）に示すように、リモコン５０ａのリモコン本体５２ａは、第１ユニットＵ１ａ及び第２ユニットＵ２ａを有する。第１ユニットＵ１ａは、第１グループのスイッチ類が設けられた第１面５２１ａを有する。第２ユニットＵ２ａは、第２グループのスイッチ類が設けられた第２面５２２ａを有する。
【００７２】
図９（ａ）は、正面から見たときに第１面５２１ａが露出し、第２面５２２ａが隠蔽された第１状態を示す。図９（ｂ）は、正面から見たときに第２面５２２ａが露出した第２状態を示す。図示しない駆動装置５３は、回転軸Ａａを中心として第２ユニットＵ２ａを回転させて、第１状態と第２状態とを切り替える。
【００７３】
この例においても、第１状態におけるリモコン本体５２ａの上下方向の幅Ｗ１ａは、第２状態におけるリモコン本体５２ａの上下方向の幅Ｗ２ａよりも狭い。
【００７４】
第１状態において、第１面５２１ａは、棚板３１の前面３１ｆと同一平面上に位置する。また、第２ユニットＵ２ａを回転させる構成とすることで、リモコン本体５２ａと棚板３１との間の隙間を小さくすることができる。
【００７５】
図１０（ａ）及び図１０（ｂ）は、実施形態に係るリモコンの変形例を例示する平面図である。  
図１０（ａ）及び図１０（ｂ）に示すように、リモコン５０ｂのリモコン本体５２ｂは、第１ユニットＵ１ｂ及び第２ユニットＵ２ｂを有する。第１ユニットＵ１ｂは、第１グループのスイッチ類が設けられた第１面５２１ｂを有する。第２ユニットＵ２ｂは、第２グループのスイッチ類が設けられた第２面５２２ｂを有する。
【００７６】
図１０（ａ）は、正面から見たときに第１面５２１ｂが露出し、第２面５２２ｂが隠蔽された第１状態を示す。図１０（ｂ）は、正面から見たときに第２面５２２ｂが露出した第２状態を示す。図示しない駆動装置５３は、回転軸Ａｂを中心として第２ユニットＵ２ｂを回転させて、第１状態と第２状態とを切り替える。
【００７７】
この例においても、第１状態におけるリモコン本体５２ｂの上下方向の幅Ｗ１ｂは、第２状態におけるリモコン本体５２ｂの上下方向の幅Ｗ２ｂよりも狭い。
【００７８】
第１状態において、第１面５２１ｂは、棚板３１の前面３１ｆと同一平面上に位置する。また、第２状態において、第１面５２１及び第２面５２２ｂは、棚板３１の前面３１ｆと同一平面上に位置する。
【００７９】
図１１（ａ）及び図１１（ｂ）は、実施形態に係るリモコンの変形例を例示する平面図である。  
図１１（ａ）及び図１１（ｂ）に示すように、リモコン５０ｃのリモコン本体５２ｃは、第１グループのスイッチ類が設けられた第１面５２１ｃと、第２グループのスイッチ類が設けられた第２面５２２ｃと、を有する。
【００８０】
図１１（ａ）は、正面から見たときに第１面５２１ｃが露出し、第２面５２２ｃが隠蔽された第１状態を示す。図１１（ｂ）は、正面から見たときに第２面５２２ｃが露出した第２状態を示す。図示しない駆動装置５３は、回転軸Ａｃを中心として、保持部材５４ｃを介してリモコン本体５２ｃを回転させ、第１状態と第２状態とを切り替える。駆動装置５３は、第１状態と第２状態とを切り替える際に、リモコン本体５２ｃを並進させない。
【００８１】
この例においても、第１状態におけるリモコン本体５２ｃの上下方向の幅Ｗ１ｃは、第２状態におけるリモコン本体５２ｃの上下方向の幅Ｗ２ｃよりも狭い。
【００８２】
図１２（ａ）及び図１２（ｂ）は、実施形態に係るリモコンの変形例を例示する平面図である。  
図１２（ａ）及び図１２（ｂ）に示すように、リモコン５０ｄのリモコン本体５２ｄは、第１ユニットＵ１ｄ及び第２ユニットＵ２ｄを有する。第１ユニットＵ１ｄは、第１グループのスイッチ類が設けられた第１面５２１ｄを有する。第２ユニットＵ２ｄは、第２グループのスイッチ類が設けられた第２面５２２ｄを有する。
【００８３】
図１２（ａ）は、正面から見たときに第１面５２１ｄが露出し、第２面５２２ｄが隠蔽された第１状態を示す。図１２（ｂ）は、正面から見たときに第２面５２２ｄが露出した第２状態を示す。図示しない駆動装置５３は、回転軸Ａｄを中心として第２ユニットＵ２ｄを回転させて、第１状態と第２状態とを切り替える。
【００８４】
第１状態におけるリモコン本体５２ｄの上下方向の幅Ｗ１ｄは、第２状態におけるリモコン本体５２ｄの上下方向の幅Ｗ２ｄよりも狭い。
【００８５】
この例では、第１ユニットＵ１ｄは、棚板３１と一体に設けられている。これにより、リモコンとトイレ空間との一体感を演出することができる。また、第１面５２１ｄは、棚板３１の前面３１ｆに対して傾斜している。これにより、使用者は上方から第１面５２１ｄを視認しやすく、操作性が向上する。
【００８６】
図１３（ａ）及び図１３（ｂ）は、実施形態に係るリモコンの変形例を例示する平面図である。  
図１３（ａ）及び図１３（ｂ）に示すように、リモコン５０ｅのリモコン本体５２ｅは、第１ユニットＵ１ｅ及び第２ユニットＵ２ｅを有する。第１ユニットＵ１ｅは、第１グループのスイッチ類が設けられた第１面５２１ｅを有する。第２ユニットＵ２ｅは、第２グループのスイッチ類が設けられた第２面５２２ｅを有する。
【００８７】
図１３（ａ）は、正面から見たときに第１面５２１ｅが露出し、第２面５２２ｅが隠蔽された第１状態を示す。図１３（ｂ）は、正面から見たときに第２面５２２ｅが露出した第２状態を示す。図示しない駆動装置５３は、回転軸Ａｅを中心として第２ユニットＵ２ｅを回転させて、第１状態と第２状態とを切り替える。
【００８８】
この例においても、第１状態におけるリモコン本体５２ｅの上下方向の幅Ｗ１ｅは、第２状態におけるリモコン本体５２ｅの上下方向の幅Ｗ２ｅよりも狭い。
【００８９】
第１状態及び第２状態において、第１面５２１ｅは、棚板３１の前面３１ｆと同一平面上に位置する。また、第２状態において、第２ユニットＵ２ｅの上部には、傾斜した面が設けられている。これにより、第２状態における、第１面５２１ｅと第２面５２２ｅとの間の段差を目立たなくすることができる。
【００９０】
図１４（ａ）及び図１４（ｂ）は、実施形態に係るリモコンの変形例を例示する平面図である。  
図１４（ａ）及び図１４（ｂ）に示すように、リモコン５０ｆのリモコン本体５２ｆは、第１ユニットＵ１ｆ及び第２ユニットＵ２ｆを有する。第１ユニットＵ１ｆは、第１グループのスイッチ類が設けられた第１面５２１ｆを有する。第２ユニットＵ２ｆは、第２グループのスイッチ類が設けられた第２面５２２ｆを有する。
【００９１】
図１４（ａ）は、正面から見たときに第１面５２１ｆが露出し、第２面５２２ｆが隠蔽された第１状態を示す。図１４（ｂ）は、正面から見たときに第２面５２２ｆが露出した第２状態を示す。図示しない駆動装置５３は、回転軸Ａｆを中心として第２ユニットＵ２ｆを回転させて、第１状態と第２状態とを切り替える。
【００９２】
この例においても、第１状態におけるリモコン本体５２ｆの上下方向の幅Ｗ１ｆは、第２状態におけるリモコン本体５２ｆの上下方向の幅Ｗ２ｆよりも狭い。
【００９３】
第１状態及び第２状態において、第１面５２１ｆは、棚板３１の前面３１ｆと同一平面上に位置する。また、この例では、第１ユニットＵ１ｆの下部に窪み（切り欠き）Ｄが設けられている。第２ユニットＵ２ｆの上部は、第１状態と第２状態とが切り替わる際に、窪みＤ内を通過する。これにより、第２状態において、第１面５２１ｆと第２面５２２ｆとは、同一平面上に位置することができる。なお、回転軸Ａｆは、第２状態において、第２ユニットＵ２ｆの前後方向における中心に位置する。
【００９４】
図１５（ａ）〜図１５（ｅ）は、実施形態に係るリモコンの変形例を例示する平面図である。  
図１５（ａ）〜図１５（ｅ）に示すように、リモコン５０ｇのリモコン本体５２ｇは、第１グループのスイッチ類が設けられた第１面５２１ｇと、第２グループのスイッチ類が設けられた第２面５２２ｇと、を有する。
【００９５】
図１５（ａ）は、正面から見たときに第１面５２１ｇが露出し、第２面５２２ｇが隠蔽された第１状態を示す。図１５（ｅ）は、正面から見たときに第２面５２２ｇが露出した第２状態を示す。図１５（ｂ）〜図１５（ｄ）は、第１状態と第２状態との遷移の過程を示す。
【００９６】
図示しない駆動装置５３は、図１５（ｂ）に示すように、リモコン本体５２ｇを前方へスライドさせる。図１５（ｃ）に示すように、駆動装置５３は、リモコン本体５２ｇの後端が棚板３１の前面３１ｆより前方となるまで、リモコン本体５２ｇをスライドさせる。その後、図１５（ｄ）に示すように、リモコン本体５２ｇは、回転軸Ａｇを中心として回転し、第２状態となる。このように、リモコン本体５２ｇの並進と回転とを別々に行ってもよい。
【００９７】
第１状態におけるリモコン本体５２ｇの上下方向の幅Ｗ１ｇは、第２状態におけるリモコン本体５２ｇの上下方向の幅Ｗ２ｇよりも狭い。
【００９８】
図１６（ａ）及び図１６（ｂ）は、実施形態に係るリモコンの変形例を例示する平面図である。  
図１６（ａ）及び図１６（ｂ）に示すように、リモコン５０ｈのリモコン本体５２ｈは、第１グループのスイッチ類が設けられた第１面５２１ｈと、第２グループのスイッチ類が設けられた第２面５２２ｈと、を有する。
【００９９】
図１６（ａ）は、正面から見たときに第１面５２１ｈが露出し、第２面５２２ｈが隠蔽された第１状態を示す。図１６（ｂ）は、正面から見たときに第２面５２２ｈが露出した第２状態を示す。図示しない駆動装置５３は、回転軸Ａｈを中心としてリモコン本体５２ｈを回転させて、第１状態と第２状態とを切り替える。
【０１００】
この例においても、第１状態におけるリモコン本体５２ｈの上下方向の幅Ｗ１ｈは、第２状態におけるリモコン本体５２ｈの上下方向の幅Ｗ２ｈよりも狭い。
【０１０１】
第２状態において、第２面５２２ｈは、棚板３１の前面３１ｆと同一平面上に位置する。また、第２状態においては、第１面５２１ｈは、棚板３１の下方に位置し、隠蔽されている。
【０１０２】
図１７（ａ）及び図１７（ｂ）は、実施形態に係るリモコンの変形例を例示する平面図である。  
図１７（ａ）及び図１７（ｂ）に示すように、リモコン５０ｉのリモコン本体５２ｉは、第１グループのスイッチ類が設けられた第１面５２１ｉと、第２グループのスイッチ類が設けられた第２面５２２ｉと、を有する。
【０１０３】
図１７（ａ）は、正面から見たときに第１面５２１ｉが露出し、第２面５２２ｉが隠蔽された第１状態を示す。図１７（ｂ）は、正面から見たときに第２面５２２ｉが露出した第２状態を示す。図示しない駆動装置５３は、回転軸Ａｉを中心としてリモコン本体５２ｉを回転させて、第１状態と第２状態とを切り替える。
【０１０４】
第１状態において、第１面５２１ｉは、棚板３１の前面３１ｆと同一平面上に位置する。また、回転軸Ａｉは、リモコン本体５２ｉの下端において、前面３１ｆと同一平面上に位置する。第２状態において、第１面５２１ｉは、隠蔽されている。また、第２状態において、第２面５２２ｉは、棚板３１の前面３１ｆに対して傾斜している。
【０１０５】
この構成によれば、第１状態において、第１面５２１ｉと棚板３１との間の隙間を小さくし、かつ、第２状態において、第２面５２２ｉと棚板３１との間の隙間を小さくすることができる。したがって、リモコンとトイレ空間との一体感を演出することができる。
【０１０６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、リモコン本体、駆動装置などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０７】
１０ トイレ装置、  １１ 便器、  １２ 便座、  １３ 便蓋、  １４ 本体部、  １５ 制御部、  １６ 人体検知手段、  １７ 接近検知手段、  １８ 着座検知手段、  １９ 機能部、  １９ａ 洗浄機能部、  １９ｂ 便座ヒータ機能部、  ２０ 鏡、  ３０ キャビネット、  ３１ 棚板、  ３１ｆ 前面、  ４０ 手洗い器、  ４１ ボウル、  ４２ 水栓、  ５０、５０ａ〜５０ｉ リモコン、  ５２、５２ａ〜５２ｉ リモコン本体、  ５２Ｌ 照明、  ５３ 駆動装置、  ５４ 保持部材、  ５４ａ、５４ｂ ピン、  ５４ｃ 保持部材、  ５４ｅ 位置規制部、  ５５ ガイド部材、  ５５ａ 長孔、  ５５ｂ 長孔、  ６１ 照明、  ６５ 係合部、  ７１ 充電端子部、  ７３ 端子部、  ５００ 紙巻器、  ５２１、５２１ａ〜５２１ｉ 第１面、  ５２１Ａ 「大」スイッチ、  ５２１Ｂ 「小」スイッチ、  ５２１Ｃ 「便座」スイッチ、  ５２１Ｄ 「開閉」スイッチ、  ５２２、５２２ａ〜５２２ｉ 第２面、  ５２２Ａ 「止」スイッチ、  ５２２Ｂ 「おしり」スイッチ、  ５２２Ｃ 「洗浄位置」スイッチ、  ５２２Ｄ 「水勢」スイッチ、  ５２２Ｅ 表示部、  ５２３ 第３面  ５２３Ａ スイッチ、  ５３１ モータ、  ５３２ 駆動部材、  ５３２ｅ 長孔、  ５９０ トイレットペーパー、  Ａａ〜Ａｉ 回転軸、  ＦＳ 床面、  ＳＷ１ 側壁、  ＴＤ ドア、  ＴＲ トイレ室、  Ｕ１ａ、Ｕ１ｂ、Ｕ１ｄ、Ｕ１ｅ、Ｕ１ｆ 第１ユニット、  Ｕ２ａ、Ｕ２ｂ、Ｕ２ｄ、Ｕ２ｅ、Ｕ２ｆ 第２ユニット
【図１】
2018071060.tif 000003
【図２】
2018071060.tif 000004
【図３】
2018071060.tif 000005
【図４】
2018071060.tif 000006
【図５】
2018071060.tif 000007
【図６】
2018071060.tif 000008
【図７】
2018071060.tif 000009
【図８】
2018071060.tif 000010
【図９】
2018071060.tif 000011
【図１０】
2018071060.tif 000012
【図１１】
2018071060.tif 000013
【図１２】
2018071060.tif 000014
【図１３】
2018071060.tif 000015
【図１４】
2018071060.tif 000016
【図１５】
2018071060.tif 000017
【図１６】
2018071060.tif 000018
【図１７】
2018071060.tif 000019